(57)【特許請求の範囲】
【請求項１】
容器用の分配キャップであって、前記分配キャップは、
閉じた頂端部および開いた底端部を有する円筒状の本体部を含み、前記閉じた頂端部は隔膜部分を含み、
前記閉じた頂端部から軸方向に前記本体部の開いた底端部の方へ伸びて、添加物を保持するための部屋を規定する、円筒状の内壁を含み、前記部屋は前記本体部の開いた底端に向かう開口部を有し、
前記本体部および前記内壁は、その間に、前記本体部の開いた底端から容器の口を受け、前記容器の口を密封する受け部を規定し、
前記隔膜部から前記部屋の開口に向かって軸方向に延在するプランジャーを含み、前記隔
膜と前記プランジャーは、閉位置と開位置とを有し、
前記プランジャーに取付けられ、前記部屋の開口を密封するための部屋閉鎖部材を含み、前記部屋閉鎖部材は内壁と協力するように形成され、前記隔膜とプランジャーが閉位置にあるときに前記部屋を密封し、
前記本体部、前記閉じた頂端部、前記プランジャー、および、前記内壁は、一体的に形成され、
前記部屋閉鎖部材は、その周囲に沿ってシール面を有するディスク状の構造であり、前記内壁は、前記隔膜と前記プランジャーが閉位置にあるとき、前記部屋を密閉するために、部屋閉鎖部材のシール面と協力する、対応するシール面を有し、
前記部屋閉鎖部材は前記本体部の閉じた頂部側に面する頂部側と、前記部屋から離れた側に面する底部側とを有し、さらに、部屋閉鎖部材には、前記頂部側に応力を緩和する凹部が設けられ、それによって、前記隔膜に作動力が作用して前記プランジャーが閉位置から開位置に移動されている場合、応力緩和の凹部によって、前記部屋閉鎖部材は弾性的に破壊し、前記内壁からの前記部屋閉鎖部材の開封を促進する、分配キャップ。
【請求項２】
前記部屋閉鎖部材のシール面は、内部のシール面および外部のシール面を含み、
前記内部のシール面はより高い外部周囲圧力条件に対して密閉するために前記内壁上の対応する表面と協力するように構成され、前記外部のシール面はより高い内部周囲圧力条件に対して密閉するために前記内壁上の対応する表面と協力するように構成される、請求項１に記載の分配キャップ。
【請求項３】
前記部屋閉鎖部材および前記内壁は液密シールを形成する、請求項１に記載の分配キャップ。
【請求項４】
前記内部のシール面は、前記本体部の長手の軸に対して30-32°傾斜している、請求項２に記載の分配キャップ。
【請求項５】
前記外部のシール面は、前記本体部の長手の軸に対して10-12°傾斜している、請求項２に記載の分配キャップ。
【請求項６】
前記応力緩和凹部は、環状の凹部と、複数の放射状の凹部とを含む、請求項１に記載の分配キャップ。
【請求項７】
前記受け部は、前記分配キャップを前記容器の口にねじを用いて接続するためのねじ山を含み、それによって、分配キャップが使用のために前記容器に装着されたとき、前記容器の内容物をそこに密閉する、請求項１に記載の分配キャップ。
【請求項８】
さらに、前記分配キャップの前記容器の口からの故意でないねじの緩みを防ぐためのタンパー輪を含む、請求項７に記載の分配キャップ。
【請求項９】
前記受け部は、前記容器の口の上にスナップ取り付けされるように形成され、それによって、分配キャップが使用のために容器に装着されるとき、前記容器の内容物をそこに密閉する、請求項１に記載の分配キャップ。
【請求項１０】
ヒンジによって前記本体部に付けられたフリップフロップ式の蓋と、前記隔膜の上で前記フリップフロップ式の蓋をロックするための、前記本体に設けられたロック用の頭部をさらに含み、前記隔膜の偶然の作動を防ぐ、請求項１に記載の分配キャップ。
【請求項１１】
前記部屋閉鎖部材および前記プランジャーは、相互に圧入されるように構成され、前記フリップフロップ式の蓋には、前記プランジャーに押されて前記部屋を密閉しているとき、前記分配キャップの組立時に前記隔膜を支持するための隔膜支持台が設けられる、請求項１０に記載の分配キャップ。
【請求項１２】
容器用の分配キャップであって、前記分配キャップは、
閉じた頂端部および開いた底端部を有する円筒状に形作られた本体部を含み、前記閉じた頂端部は隔膜部分を含み、
前記閉じた頂端部から軸方向に前記本体部の開いた底端部の方へ伸びて、部屋を規定する、円筒状の内壁を含み、前記部屋は前記本体部の開いた底端に向かう開口部を有し、
前記部屋には多くの添加物が供給され、
前記本体部および前記内壁は、その間に、前記本体部の開いた底端から容器の口を受け、前記容器の口を密封する受け部を規定し、
前記隔膜部から前記部屋の開口に向かって軸方向に延在するプランジャーを含み、前記隔膜と前記プランジャーは閉位置と開位置とを有し、前記隔膜と前記プランジャーは閉位置にあり、
前記プランジャーに取付けられ、前記部屋の開口を密封するための部屋閉鎖部材を含み、
前記本体部、前記閉じた頂端部、前記プランジャー、および、前記内壁は、一体的に形成され、
前記部屋閉鎖部材は、その周囲に沿ってシール面を有するディスク状の構造であり、前記内壁は前記隔膜と前記プランジャーとが閉位置にあるときに、前記部屋を密閉するための前記部屋閉鎖部材のシール面と協力する、対応するシール面を有し、
前記部屋閉鎖部材は前記本体部の閉じた頂部側に面する頂部側と、前記部屋から離れた側に面する底部側とを有し、さらに、部屋閉鎖部材には、前記頂部側に応力を緩和する凹部が設けられ、それによって、前記隔膜に作動力が作用して前記プランジャーが閉位置から開位置に移動されている場合、応力緩和の凹部によって、前記部屋閉鎖部材は弾性的に破壊し、前記内壁からの前記部屋閉鎖部材の開封を促進する、分配キャップ。
【請求項１３】
前記部屋閉鎖部材のシール面は、内部のシール面および外部のシール面を含み、前記内部のシール面は、より高い外部周囲圧力条件に対して密閉するための、前記内壁の対応する面と協力するように構成され、前記外部のシール面は、より高い内部周囲圧力条件に対して密閉するための、前記内壁の対応する面と協力するように構成される、請求項１２に記載の分配キャップ。
【請求項１４】
前記部屋閉鎖部材および前記内壁は液密シールを形成する、請求項１２に記載の分配キャップ。
【請求項１５】
前記内側シール面は前記本体部の長手の軸に対して30-32°傾斜している、請求項１３に記載の分配キャップ。
【請求項１６】
前記外側シール面は前記本体部の長手の軸に対して10-12°傾斜している、請求項１３に記載の分配キャップ。
【請求項１７】
前記応力緩和凹部は、環状の凹部と、複数の放射状の凹部とを含む、請求項１２に記載の分配キャップ。
【請求項１８】
前記受け部は、前記分配キャップを前記容器の口にねじを用いて接続するためのねじ山を含み、それによって、分配キャップが使用のために前記容器に装着されたとき、前記容器の内容物をそこに密閉する、請求項１２に記載の分配キャップ。
【請求項１９】
さらに、前記分配キャップの前記容器の口からの故意でないねじの緩みを防ぐためのタンパー輪を含む、請求項１８に記載の分配キャップ。
【請求項２０】
前記受け部は、前記容器の口の上にスナップ取り付けされるように形成され、それによって、分配キャップが使用のために容器に装着されるとき、前記容器の内容物をそこに密閉する、請求項１２に記載の分配キャップ。
【請求項２１】
ヒンジによって前記本体部に付けられたフリップフロップ式の蓋と、前記隔膜の上で前記フリップフロップ式の蓋をロックするための、前記本体に設けられたロック用の頭部をさらに含み、前記隔膜の偶然の作動を防ぐ、請求項１２に記載の分配キャップ。
【請求項２２】
前記部屋閉鎖部材および前記プランジャーは、相互に圧入されるように構成され、前記フリップフロップ式の蓋には、前記プランジャーに押されて前記部屋を密閉しているとき、前記分配キャップの組立時に前記隔膜を支持するための隔膜支持台が設けられる、請求項１９に記載の分配キャップ。
【発明の詳細な説明】
【関連出願の相互参照】
【０００１】
この出願は、2011年2月1日に出願されたアメリカの仮特許出願番号61/438,440に基づく優先権を主張する。また、この仮特許出願の内容全体を参照によって本願に組み込む。
【技術分野】
【０００２】
この開示は、一般に容器の閉鎖用の蓋に関し、特に、添加物を保持、貯蔵、および、分配するための小部屋を有する取り付け可能な容器の蓋に関する。
【背景技術】
【０００３】
添加物を溶媒と混合する前に、別々に添加物を保持する様々なデザインの容器が知られている。しかしながら、それらの多数が構成要素の物質を保持可能な数において制限され、また、効率的な生産のための形状になっていなかった。したがって、改善された容器の蓋に対するニーズがあった。
【発明の概要】
【課題を解決するための手段】
【０００４】
この開示の実施の形態によれば、容器のための分配蓋（キャップ）は、一般に、閉じた頂端部と開放された底端部とを有する、一般に円筒状に形成された本体部を含み、閉じた頂端部は本体部とともに一体成型され、隔膜を含む。一般に円筒状に形作られた内壁は、閉じた頂端から本体部の開放された底端部へ軸方向に延在し、添加物を保持するための部屋を定義し、部屋は本体部の開いた底端部へ向かった開口を有する。本体部と内壁とは、その間に、本体部の開いた底端から容器の口を受けるとともに、容器の口をシールする受け部を定義する。プランジャーは、軸方向に部屋の開口に向かって隔膜部分から伸び、隔膜とプランジャーは閉位置と開位置とを有する。部屋の開口を密閉するための部屋閉鎖部材はプランジャーに設けられる。部屋閉鎖部材は内壁と協力するように形成され、隔膜とプランジャーが閉位置にある場合、部屋を密閉する。本体部、閉じた頂端部および内壁は、一体的に形成される。
【図面の簡単な説明】
【０００５】
【図１】この開示の実施の形態による分配キャップの斜視図である。
【図２】図1の分配キャップの断面斜視図である。
【図３】他の実施の形態による別の分配キャップの斜視図である。
【図４】図3の分配キャップの断面図である。
【図５】容器に接続され、その部屋内に多くの添加物を収容した、図3の分配キャップの断面図である。
【図６】分配キャップおよび図５の容器の別の断面図であり、ここでは、分配キャップの押し上げ式の蓋が開位置にある。
【図７】分配キャップおよび図6の容器の断面図である。ここでは、分配キャップの部屋は密封されず、部屋からの添加物が分配されている。
【図８】図7に示される領域Ａの詳細な断面図である。
【図９】一実施の形態による部屋閉鎖部材の斜視図である。
【図１０】図9の部屋閉鎖部材の平面図である。
【図１１】図9の部屋閉鎖部材の断面図である。
【図１２】一実施の形態による、図9および図10に示した部屋閉鎖部材の密封面の詳細な図である。
【図１３】分配キャップの内壁と協力し、部屋を密閉する図9の部屋閉鎖部材のシール面の詳細な図である。
【発明を実施するための形態】
【０００６】
これらおよびこの発明の他の特徴および利点は、以下の発明の好ましい実施の形態の詳細な説明に十分記載され、この内容は、同様の部品には同様の番号が付された添付図面と共に考慮される。すべての図面模式的なもので、実際の寸法や、構成間の寸法関係を示すことは意図されていない。
【０００７】
この開示は、所望のときに、添加物を容器内に分配できる添加物を保持するように構成された容器のための単一の部屋を有する分配キャップの新しい設計について記述する。図1および図2はそのような分配キャップ10の1つの実施の形態を示す。分配キャップ10は一般に、キャップ構造の外壁、閉じた頂端部19a、および、開放された底端を形成する円筒形の本体11を有する。分配キャップ10は飲料ボトルのような容器の開口に係合し、かつ、それに適合する形状である。本体１１は容器の開口に対して、スナップ式またはねじで、係合するように構成されかつ適合する。図2に示すように、本体11および内壁13は分配キャップ１０の底部側が開口する容器受け部12を形成する。容器受け部12は、キャップ10が容器（図示せず）の口を受け取ることを可能にする。容器受け部12は、本体11の内部の表面に沿ってねじ山３０を有するように構成されている。ネジ山３０は、容器の口に設けられた対応するネジ山と協働して、分配キャップ１０を容器の上で固定し、容器の内容物、一般に液体であるが、それを密閉する。
【０００８】
内壁13は、分配キャップ１０の閉じた頂端部から分配キャップ１０の開いた底端部へ軸方向に伸び、添加物の保持のための部屋50を規定する。分配キャップ10は、一般に、ボトルのような、液体の飲料(例えば水、ジュースなど)を保持する容器の閉鎖部として使用される。
【０００９】
部屋50は部屋閉鎖部材60によって密閉される。部屋50の内部で保持された物質が容器の中で液体の飲料と別に保持されるように、部屋閉鎖部材60は液密のシールを形成する。これによって分配キャップ１０があらかじめ所望の物質で満たされ、分配キャップ１０の内部に保持された物質と接触、又は、関連することなく、容器内に収容される。
【００１０】
部屋閉鎖部材60はプランジャー22に接続される。プランジャー22は2つのうちの１つの位置、開位置(図1)およびシールされている位置(図2)のうちの1つにあるように構成される。分配キャップ１０が容器（図示無）の口にねじ止めされると、分配キャップ１０の頂部からプランジャー２２へ押圧力がかかり、プランジャー２０が部屋閉鎖部材60をさらに容器内に下に押し、部屋50を開封する。これによって、部屋50の内容物が容器内に落下し、ボトルの液体量と混合することを可能にする。
【００１１】
プランジャー22は、分配キャップの柔軟な隔膜21を人が下方へ押すことによってその開位置に押し込まれる。柔軟な隔膜21は、押し下げられた時、即開位置になり、人が隔膜21を下へ押すのをやめても、開位置を維持するように好ましくは構成される。
【００１２】
一実施の形態によれば、本体11、閉じた頂端部19a、プランジャー22および内壁13は、一体構造になるよう形成される。
【００１３】
別の実施の形態では、分配キャップ10は、押し上げ（フリップフロップ）式の蓋17で形成される。押し上げ蓋式の蓋17は、プランジャー22の偶然の作動を防ぎうる。これは、容器の内容を摂取する時に分配キャップ10の内容が開放されることを可能にする。
【００１４】
さらに押し上げ蓋式の蓋17は、本体11、閉じた頂端部19aおよび内壁13と一体的に形成される。
【００１５】
図3-13を参照して、この開示の実施の形態による容器のための分配キャップ100が記述される。分配キャップ100は、閉じた頂端部119aおよび開いた底端部119bを有し、一般に円筒状に形作られた本体部111を含む。閉じた頂端部119aは、本体部111と一体的に構成され、隔膜部１２１を含む。隔膜部１２１は、分配キャップ100を作動させ、そのキャップの内容物を分配するために、下方（つまり示されるように、開いた底端部119bへの方向)へ押される。分配キャップ100は、適切なプラスチックか高分子材料から成型されるのが好ましい。また、本体部111、閉じた頂端部119a、プランジャー122および内壁113は、一つのものとして一体的に形成される。これにより、より単純なプロダクト・デザインおよびよりコスト的に効率的な生産が可能になる。というのは、たった２個の部品、部屋閉鎖部材160および構造の残りの部分だけ組み立てればよいためである。
【００１６】
図4に示されるように、一般に円筒状に形成された内壁113は、軸方向に本体部111の閉じた頂端部119aから本体部１１１の開いた底端部119bへ延在し、添加物の保持のために部屋150を規定する。ここに使用されるように、軸方向に伸びることは、分配キャップ100の長手の軸Lに平行な方向に伸びることを意味する。
【００１７】
本体部111、閉じた頂端部119aおよび内壁113が一体的に成型された構造のために、隔膜121は、閉じた部屋の頂部を形成し、部屋150は本体部111の開いた底端部への密封可能な開口部を有する。
【００１８】
本体部111および内壁113は、その間で容器受け部112を規定し、容器受け部１１２は本体部の開いた底端部119bから容器の口を受け取り、容器の口を密閉する。部屋150の内部には、部屋150の開口部へ隔膜部分121から軸方向に伸びるプランジャー122が設けられる。そこでは隔膜121およびプランジャー122が閉位置と開位置とを有する。図4は、閉位置の隔膜121およびプランジャー122を示す。以下で説明する図7は、開位置にあるときの隔膜121およびプランジャー122を示す。
【００１９】
図4に示される閉位置では、部屋の開口を密閉するための部屋閉鎖部材160はプランジャー122に取付けられている。部屋閉鎖部材160は内壁113と協力するように形成され、また隔膜121およびプランジャー122が閉位置にある場合、部屋150を密閉する。
【００２０】
図9〜図13を参照して、部屋閉鎖部材160は、部屋150を密閉するために内壁113と協力するためにその周囲に沿ってシール面167を有するディスク状の構造である。内壁113は、部屋150の密閉のために部屋閉鎖部材160のシール面167と協力する、対応するシール面を有する。
【００２１】
部屋閉鎖部材160のシール面167は、内部のシール面167aおよび外部のシール面167bを含む。内部のシール面167aは内壁113上の対応する内部のシール面113aと協力するように構成される。また、外部のシール面167bは内壁113上の対応する外部のシール面113bと協力するように構成される。これらのシール面は、部屋150の内部へのそれぞれの近さによって、「内部の」、「外部の」と呼ばれる。シール面167aおよび113aは、シール面167bおよび113bより部屋150の内部の近くにある。
【００２２】
内部のシール面167aおよび113aは、外部周囲圧力が部屋150の内部の内部周囲圧力より高い状態に対するシールを形成する。外部のシール面167bおよび113bは、部屋150の内部周囲圧力が外部周囲圧力より高い条件に対するシールを形成する。これは、シール面167a、167b、113aおよび113bの特別の形状および配置によって達成される。これについては後述する。
【００２３】
部屋閉鎖部材160および内壁113上のこれらの協力するシール面は締りばめによって互いに対するシールを形成するように構成される。これは、そのシール面167に沿った部屋閉鎖部材160の直径が、予め定められた量だけ、内壁113上でシール面によって形成された開口部の内径より大きいことを意味する。したがって、部屋閉鎖部材160が内壁113によって形成された部屋開口部に挿入される場合、部屋閉鎖部材160のシール面167は内壁113を対応するシール面に対して外側に押し、締まりばめを形成する。図13は、部屋閉鎖部材160シール面167a、１６７ｂが、内壁113の対応するシール面113a、113bとオーバーラップするということを示すことにより、これを説明している。1つの実施の形態では、部屋閉鎖部材160および内壁113は液密のシールを形成する。
【００２４】
図12に示されるように、1つの実施の形態によれば、対を構成する内部のシール面167aおよび113aは、約30〜３２度、本体部111の縦軸Lに対して傾斜する。この傾斜角度は図12の中でδと表示される。対となる外部のシール面167bと113bは縦軸Lに関して、約１０〜１２度傾斜する。この傾斜角度は図12の中でβと表示される。好ましい実施の形態では、縦軸Lに関して傾斜角度δは31°である。また、傾斜角度βは11°である。
【００２５】
図7-11を参照して、部屋閉鎖部材160には、本体部の閉じた頂部側に面する頂部側と、部屋から離れた側に面する底部側がある。プランジャーは、部屋閉鎖部材160の中心の近くの部屋閉鎖部材160に取付けられている。一つの実施の形態では、プランジャーおよび部屋閉鎖部材は、図7および図8に詳細を示すように、相互に圧入されている。例として、部屋閉鎖部材160には、図9および11に示されるように、プランジャーの受け穴165が設けられ、プランジャー122には、穴１６５に圧入される環状のリブ122bを有する。
【００２６】
図7に示される領域Ａには、プランジャー１２２と部屋閉鎖部材160とが取付けられた状態を示しているが、この詳細を図８に示す。
【００２７】
一実施の形態によれば、部屋閉鎖部材160には、頂部側に応力緩和用の凹部162および163が設けられる。作動力が隔膜にかけられ、プランジャー122が閉位置から開位置まで移る間に、部屋閉鎖部材160を押し下げる。このとき、応力緩和用の凹部162および163は、部屋閉鎖部材を弾性的に破壊し、部屋閉鎖部材160の内壁113からの開封を促進する。弾性的に崩壊するとは、少しではあるが、傘のように折りたたまれ、部屋閉鎖部材160を内壁113からの開封を促進することをいう。プランジャー122によって、部屋閉鎖部材が閉位置から押されるにつれて、外部のシール面167b、113bの傾斜によって、部屋閉鎖部材160の開封が可能になり、部屋閉鎖部材160の弾性的な破壊によってさらに、開封が促進される。
【００２８】
図9および図10に示されるように、応力緩和凹部162および163は環状の凹部１６２と複数の径方向の凹部１６３を含むことができる。1つの実施の形態では、径方向の凹部163は、相互に約45°に配置され、部屋閉鎖部材160の中心から径方向外側に向いている。これは、部屋閉鎖部材の破壊の影響を最適化するためである。
【００２９】
図4を参照して、分配キャップ100は、容器の口を受け取るための本体部111と内壁113の間に設けられた容器受け部112を規定する。図5の例で示されるように、容器受け部112は容器200の口に設けられた対応するねじ溝２３０に係合し、分配キャップ１００を容器２００の口に接続するためのねじ溝130を含みうる。このように、容器200の口は受け部１１２の遠方端１１２ａでシールを形成し、それによって、分配キャップ１００が使用のために容器２００に装着されたとき、内容物４００を容器200の中に密封する。図5では、分配キャップ100は完全に組み立てられ、部屋150は添加物300を保持している。添加物は液体状であってもよいし、パウダー状であってもよい。
【００３０】
図7は、分配キャップが開いた状態を示し、そこでは、添加物300が容器200内に分配されており、容器200の内容物400と混合されている。内容物400は液体の飲料あるいは薬剤でありうる。示されるように、隔膜121およびプランジャー122は下方、それらの開位置へ押されている。プランジャー122は部屋閉鎖部材160を下方に押して、内壁113のシール面からの部屋閉鎖部材160を開封する。
【００３１】
図4-図7に示されるように、別の実施の形態によれば、分配キャップ100は、容器200の口からの分配キャップ100の故意でないねじの開放を防ぐためにさらにタンパー輪135を含みうる。タンパー輪135は各種飲料保持容器にみられる多くのタンパー輪に似た構造を有する。タンパー輪135は、1つが提供される場合、本体部111の底端部に移動できるように付けられており、複数のフラップ137を有する。分配キャップ100が容器200の口に装着されると、フラップ137は図5および6に示すように内部及び上へ折り重ねられ、フラップ137は容器200の口の環状の突出部と干渉し、分配キャップ100の意図的でない開放を防ぐ。容器200から分配キャップ100を外すために、分配キャップ100が作動され、部屋150の内容物が容器200に入れられた後、ユーザは、強制的に容器から分配キャップ100のネジを開けることができ、これによって、タンパー輪135および本体部111間の脆弱な接続部を破壊する。
【００３２】
別の実施の形態では、受け部112は容器200の口の上にスナップ式に取り付け可能に形成され、それによって、分配キャップが使用のために容器に装着されるとき、容器の内容物をそこに密閉する。
【００３３】
別の実施の形態では、分配キャップ100は、ヒンジ118によって本体部111に付けられた、フリップフロップ式の蓋117をさらに含むことができる。ロック用の頭部115は、フリップフロップ式の蓋117をロックするために、隔膜121を閉じるように本体部111上に設けられ、隔膜121の偶然の作動を防ぐ。
【００３４】
部屋閉鎖部材160およびプランジャー122は互いに圧入されるように構成され、フリップフロップ式の蓋１１７には、部屋閉鎖部材がプランジャーに押しつけられ部屋を密閉しているとき、分配キャップの組立時において隔膜１２１を支持するために隔膜支持台117aが設けられている。
【００３５】
既存のボトルの設計は修正なしで使用することができる。また、ボトルは容易にリサイクルすることができ、ボトルに汚染物質が混じることはなく、環境にも優しい。ここに示された容器蓋は、ポリマー、合成物および柔軟な合金を含み、これらに限定されないいくつかの材料から製造することができる。
【００３６】
別の実施の形態によれば、分配キャップがたくさんの添加物で満たされる場合の、容器と共に使用される分配キャップについて記載した。分配キャップは、閉じた頂端部および開いた底端部を有する、一般に円筒状に形作られた本体部を含む。閉じた頂端部が本体部と一体的に形成され、隔膜部分を含む。一般に円筒状に形作られた内壁は、本体部の開いた底端部の方へ閉じた頂端部から軸方向に延在し、部屋を規定する。部屋には部屋閉鎖部材によって移動可能に密閉される本体部の開いた底端部へ向かった開口部がある。たくさんの添加物は部屋によって提供される。本体部および内壁は、その間に、本体部の開いた底端部から容器の口を受け、容器の口を密閉する受け部を規定する。隔膜部分から部屋の開口へ軸方向に伸びるプランジャーが、部屋に設けられる。隔膜とプランジャーは閉位置と開位置を有し、部屋で添加物を保持しているとき、ユーザが添加物を分配するために隔膜とプランジャーを作動するまで、隔膜およびプランジャーは閉位置にある。
【００３７】
この開示の分配キャップの構造は液体容器のいくつかの異なるサイズには適応可能である。単一の部屋の容積（ボリューム）の設計によって、添加物の分配が可能になる。ここで、添加物は、調味料、ビタミン、エネルギー増強製剤、薬物治療、浄化および安静用飲料、あるいはこれらの成分の任意のコンビネーションを含む。
【００３８】
ここに記載した分配キャップの、寸法、材料、形、形式、作動の機能および方法、組立および使用を含む、部品間の最適寸法の関係は当業者にとって容易に理解され、自明である。また、図面によって例示され、明細書に記載された内容と等価な全てのものが、この発明によって包含されるように意図される。
【００３９】
少数の実施の形態を使用して、発明が記載されたが、ここに記載された発明の範囲は、添付のクレームによってのみ定義され制限され、発明の均等物の範囲から外れることなく、当業者によって考慮される、発明の他の変形および実施の形態を含む。
【図１】
0005778784.tif 000002
【図２】
0005778784.tif 000003
【図３】
0005778784.tif 000004
【図４】
0005778784.tif 000005
【図５】
0005778784.tif 000006
【図６】
0005778784.tif 000007
【図７】
0005778784.tif 000008
【図８】
0005778784.tif 000009
【図９】
0005778784.tif 000010
【図１０】
0005778784.tif 000011
【図１１】
0005778784.tif 000012
【図１２】
0005778784.tif 000013
【図１３】
0005778784.tif 000014